(57)【要約】  本発明はシューズに関するものであり、より詳しくは分離可能なインナー（Ｉｎｎｅｒ）シューズとアウター（Ｏｕｔｅｒ）シューズの二重構造で構成されて、インナーシューズで発生する汗や湿気を効果的に放出することができる通気性を改善した二重構造の組立式シューズに関するものである。本発明の実施例による通気性を改善した二重構造の組立式シューズはインナーシューズとアウターシューズを着脱可能な構造で構成することにより、空気を排出することができる通気性の通路を簡単かつ効果的に形成することができ、その結果、足から発生する汗や熱気を効果的に放出することができる効果がある。
2020508707.tif 000002
【特許請求の範囲】
【請求項１】
シューズにおいて、
ユーザーの足に着用できるインナーシューズ；および
上記のインナーシューズを内部に挿入して結合することができるアウターシューズを含め、
上記のインナーシューズは足から発生する熱気を排出するための熱気排出口を備える組立式シューズ。
【請求項２】
上記のインナーシューズが上記のアウターシューズの内部に結合される場合、上記のインナーシューズと上記のアウターシューズの間に空気が排出することができる一定の空間の排出通路が形成される、請求項１に記載の組立式シューズ。
【請求項３】
上記のインナーシューズおよび上記のアウターシューズは天然ゴム、合成ゴム、合成樹脂、革、および織物の中の少なくとも一つの材質からなる、請求項１に記載の組立式シューズ。
【請求項４】
上記の熱気排出口は、
ユーザーの足の甲の部分に位置する少なくとも一つの通気孔からなる、請求項１に記載の組立式シューズ。
【請求項５】
上記のアウターシューズは上記のインナーシューズの間に空気排出通路を確保するための排出通路用の部材をさらに含む、請求項１に記載の組立式シューズ。
【請求項６】
上記の排出通路用の部材は前方外側の表面に足の甲の部分からトップラインまでつながる突出形状のラインからなる、請求項５に記載の組立式シューズ。
【請求項７】
上記の排出通路用の部材は前方内側の表面に足の甲の部分からトップラインまでつながる突出形状のラインからなる、請求項５に記載の組立式シューズ。
【請求項８】
上記のインナーシューズは上記のアウターシューズとの間に空気排出通路を確保するための排出通路用の部材をさらに含む、請求項１に記載の組立式シューズ。
【請求項９】
上記の排出通路用の部材は前方外側の表面に足の甲の部分からトップラインまでつながる突出形状のラインからなる、請求項８に記載の組立式シューズ。
【請求項１０】
上記のインナーシューズはユーザーの足から発生する水分を排出するために、底の部分に少なくとも一つの排出溝をさらに含む、請求項１に記載の組立式シューズ。
【請求項１１】
上記の排出溝は任意の間隔を有する多数の溝からなる、請求項１０に記載の組立式シューズ。
【請求項１２】
上記のインナーシューズは、底面が上記のアウターシューズの底面に接触しないように、外側の底面に複数の底突起をさらに含む、請求項１０に記載の組立式シューズ。
【請求項１３】
上記のアウターシューズは、
内部の底面が上記のインナーシューズの底面と接触しないように、内部の底面に複数の底突起をさらに含む、請求項１０に記載の組立式シューズ。
【請求項１４】
上記のインナーシューズの外部の底面と、上記のアウターシューズの内部の底面の間に位置する排気用のポンプをさらに含む、請求項１に記載の組立式シューズ。
【請求項１５】
上記の排気用のポンプは、
ユーザーの荷重により圧着される伸縮性の圧着部；
上記の伸縮性の圧着部を取り囲み、空気が流入することができる空気吸入口が一側に形成されるポンプの外皮；および
上記のポンプの外皮から延長され、圧着過程で内部の空気を外部に排出する空気排出部を含む、請求項１４に記載の組立式シューズ。
【請求項１６】
上記のインナーシューズの足指の外側面と上記のアウターシューズの足指の内側面の間に保護部材をさらに含む、請求項１に記載の組立式シューズ。
【請求項１７】
シューズにおいて、
ユーザーの足に着用できるインナーシューズ；および
上記のインナーシューズを内部に挿入して結合することができるアウターシューズを含め、
上記のインナーシューズはユーザーの足から発生する水分を排出するため、底の部分に少なくとも一つの排出溝を備える組立式シューズ。
【請求項１８】
上記のインナーシューズは足の甲の部分に足から発生する熱気を排出することができる熱気排出口をさらに含む、請求項１７に記載の組立式シューズ。
【発明の詳細な説明】
【技術分野】
【０００１】
本発明はシューズに関するものであり、より詳しくは分離可能なインナー（Ｉｎｎｅｒ）シューズとアウター（Ｏｕｔｅｒ）シューズの二重構造で構成され、インナーシューズで発生する汗や湿気を効果的に放出することができる通気性を改善した二重構造の組立式シューズに関するものである。
【背景技術】
【０００２】
人間が二足歩行をしながら、足を保護するために用いられてきたシューズは科学技術の発展とともに新しい素材が開発されて、今日では家庭用、歩行用、マウンテン用、身体矯正用、特殊運動用など多様な活動に適合するように様々なシューズが作られている。このようなシューズはこれを着用する人の足を保護するだけではなく、シューズを着用した状態で行う活動の利便性を追求するように作られる。
【０００３】
この際、シューズ内に挿入される人の足は、人の全身の汗孔の約２割を占める５０万個程度の汗腺の分布を形成しており、額を除いて、汗をもっとも多く分泌する部位である。これにより、シューズを着用している状態で活動する場合には、通常より約１２倍まで多くの汗を分泌するようになる。
【０００４】
したがって、着用者の足を保護し、着用の便利性を追求することも重要であるが、通気性を確保しなければ、足から発生する熱気によりシューズに足の蒸れと臭いが発生するようになる。結局、シューズを構成する重要な要素の中の一つは足から発生する熱気や汗を効果的に排出することで、これによる問題を解決することだといえる。
【０００５】
このような問題を解決するために、従来には表面が露出される外皮の側面または底面に空気が排出されることができるエア・ホールを形成することにより、インソールを通じて空気が外部に排出されることができる技術が提案されており、大韓民国登録実用新案第２０−０１９２５１０号（空気排出シューズ）、大韓民国公開特許公報第１０−２０００−００３５１１８号（エア・ホースが設置されたシューズのインソール）、および大韓民国登録特許公報第１０−０４７０７５１号（外部との空気循環が可能なシューズ）をその例として挙げられる。しかし、このような従来の技術はシューズの底面やシューズの側面を通じて通気が行われるため、地面に水が溜まっている場合には、シューズ内に水が入ってくることを逃げることができず、長靴のような防水機能が要求されるシューズに非常に致命的な弱点として作用することができる。
【０００６】
これにより、本発明者は足の甲と足首の部分を通じて、空気が排出されるように、内皮と外皮にそれぞれ通孔が形成された二重構造のシューズを提示したことがある。これは、大韓民国登録特許公報第１０−１７３７９１０号（甲皮の部分に二重構造部を有する通気性シューズ）と大韓民国登録特許公報第１０−１７１１８８１号（舌を通じる通気性のシューズ）、大韓民国公開特許公報第１０−２０１７−０１２２６４５号（甲皮の部分に二重構造部を有する通気性シューズ）を通じて公開されており、また、大韓民国登録特許公報第１０−１７６７８８４号（通気性長シューズの製造方法）ではこのようなシューズの製造方法を開示したことがある。
【０００７】
しかし、このような従来技術は外皮と内皮の間に空気が排出できる二重構造を一体型に形成するので、シューズの設計から製造まで、空気排出のための二重構造を考慮して行わなければならない難しい点があり、熱気と汗を効果的に排出することにおいて、ある程度の限界を有する短所がある。
【先行技術文献】
【特許文献】
【０００８】
【特許文献１】韓国登録実用新案第２０−０１９２５１０号公報
【特許文献２】韓国公開特許第１０−２０００−００３５１１８号公報
【特許文献３】韓国登録特許第１０−０４７０７５１号公報
【特許文献４】韓国登録特許第１０−１７３７９１０号公報
【特許文献５】韓国登録特許第１０−１７１１８８１号公報
【発明の概要】
【発明が解決しようとする課題】
【０００９】
本発明は上記のような問題点を解決するためのものであって、シューズを分離可能なインナー（Ｉｎｎｅｒ）シューズとアウター（Ｏｕｔｅｒ）シューズの二重構造で構成して、インナーシューズとアウターシューズの間に通気性の通路を形成することによって、足から発生する汗や熱気を効果的に放出することができる通気性を改善した二重構造の組立式シューズを提供するのに、その目的がある。
【課題を解決するための手段】
【００１０】
上記のような問題点を解決するために、本発明の通気性を改善した二重構造の組立式シューズはユーザーの足に着用できるインナーシューズと、上記のインナーシューズを内部に挿入して結合することができるアウターシューズを含め、上記のインナーシューズは足から発生する熱気を排出するための熱気排出口を備えることができる。
【００１１】
上記の組立式シューズは上記のインナーシューズが上記のアウターシューズの内部に結合される場合、上記のインナーシューズと上記のアウターシューズの間に空気が排出することができる一定の空間の排出通路が形成されることができる。
【００１２】
上記のインナーシューズおよび上記のアウターシューズは天然ゴム、合成ゴム、合成樹脂、革および織物の中の少なくとも一つの材質からなることができる。
【００１３】
上記の熱気排出口はユーザーの足の甲の部分に位置する少なくとも一つの通気孔からなることができる。
【００１４】
上記のアウターシューズは上記のインナーシューズとの間に空気排出通路を確保するための排出通路用の部材をさらに含むことができる。
【００１５】
上記の排出通路用の部材は前方外側の表面に足の甲の部分からトップラインまでつながる突出形状のラインからなることができる。
【００１６】
上記の排出通路用の部材は前方内側の表面に足の甲の部分からトップラインまでつながる突出形状のラインからなることができる。
【００１７】
上記のインナーシューズは上記のアウターシューズの間に空気排出通路を確保するための排出通路用の部材をさらに含むことができる。
【００１８】
上記の排出通路用の部材は前方外側の表面に足の甲の部分からトップラインまでつながる突出形状のラインからなることができる。
【００１９】
上記のインナーシューズはユーザーの足から発生する水分を排出するために、底の部分に少なくとも一つの排出溝をさらに含むことができる。
【００２０】
上記の排出溝は任意の間隔を有する複数の溝からなることができる。
【００２１】
上記のインナーシューズは底面が上記のアウターシューズの底面に接触されないように、外側の底面に複数の底突起をさらに含むことができる。
【００２２】
上記のアウターシューズは内部の底面が上記のインナーシューズの底面に接触されないように、内部の底面に複数の底突起をさらに含むことができる。
【００２３】
本発明の組立式シューズは上記のインナーシューズの外部の底面と、上記のアウターシューズの内部の底面の間に位置する排気用のポンプをさらに含むことができる。
【００２４】
上記の排気用のポンプはユーザーの荷重により圧着される伸縮性の圧着部と、上記の伸縮性の圧着部を取り囲み、空気が流入できる空気吸入口が一側に形成されるポンプの外皮と、上記のポンプの外皮から延長され圧着過程で内部の空気を外部に排出する空気排出部を含むことができる。
【００２５】
本発明の組立式シューズは上記のインナーシューズの足指の外側面と上記のアウターシューズの足指の内側面の間に保護部材をさらに含むことができる。
【００２６】
また、本発明の通気性を改善した二重構造の組立式のシューズはユーザーの足に着用できるインナーシューズ；および上記のインナーシューズを内部に挿入して結合することができるアウターシューズを含め、上記のインナーシューズはユーザーの足から発生する水分を排出するために、底の部分に少なくとも一つの排出溝を備えることができる。
【００２７】
上記のインナーシューズは足から発生する熱気を排出するための熱気排出口をさらに含むことができる。
【発明の効果】
【００２８】
本発明の実施例による通気性を改善した二重構造の組立式のシューズはインナーシューズとアウターシューズを着脱可能な構造で構成することによって、空気を排出することができる通気性の通路を簡単かつ効果的に形成することができ、その結果、足から発生する汗や熱気を効果的に放出することができる効果がある。
【図面の簡単な説明】
【００２９】
【図１ａ】図１ａは本発明の実施例による通気性を改善した二重構造の組立式シューズにおいて、インナーシューズの断面図である。
【図１ｂ】図１ｂは本発明の実施例による通気性を改善した二重構造の組立式シューズにおいて、インナーシューズがアウターシューズの内に挿入された状態の断面図である。
【図２ａ】図２ａは本発明の実施例による通気性を改善した二重構造の組立式シューズにおいて、熱気排出口が備わるインナーシューズを示した平面図である。
【図２ｂ】図２ｂは本発明の実施例による通気性を改善した二重構造の組立式シューズにおいて、熱気排出口が備わるインナーシューズを示した平面図である。
【図３】図３は本発明の実施例による通気性を改善した二重構造の組立式のシューズにおいて、熱気排出口が備わるインナーシューズをアウターシューズに結合した状態で熱気が排出通路を通じて排出される場合の断面図である。
【図４】図４は本発明の他の実施例による通気性を改善した二重構造組立式のシューズにおいて、排出通路用の部材が外部に突出された構造が備わるアウターシューズを示した断面図である。
【図５ａ】図５ａは本発明の実施例による通気性を改善した二重構造の組立式シューズにおいて、排出通路用の部材が備わるアウターシューズにインナーシューズを結合した場合の断面図である。
【図５ｂ】図５ｂは本発明の実施例による通気性を改善した二重構造の組立式シューズにおいて、排出通路用の部材が備わるアウターシューズにインナーシューズを結合した場合の平面図である。
【図６】図６は本発明の他の実施例による通気性を改善した二重構造の組立式シューズにおいて、排出通路用の部材が内部に突出される構造のアウターシューズを示した断面図である。
【図７】図７は本発明の実施例による通気性を改善した二重構造の組立式シューズにおいて、内部方向に突出される排出通路用の部材が備わるアウターシューズにインナーシューズが結合される場合の斜視図である。
【図８】図８は本発明の他の実施例による通気性を改善した二重構造の組立式シューズにおいて、排出通路用の部材が外側に形成されたインナーシューズの斜視図である。
【図９】図９は本発明の実施例による通気性を改善した二重構造の組立式シューズにおいて、排出通路用の部材が備わるインナーシューズがアウターシューズに結合された場合の平面図である。
【図１０ａ】図１０ａは本発明の実施例による通気性を改善した二重構造の組立式のシューズにおいて、水分排出口が備わるインナーシューズの底面図である。
【図１０ｂ】図１０ｂは本発明の実施例による通気性を改善した二重構造の組立式のシューズにおいて、水分排出口が備わるインナーシューズの底面図である。
【図１１】図１１は本発明の実施例による通気性を改善した二重構造の組立式のシューズにおいて、排出溝が備わるインナーシューズをアウターシューズに結合した場合の断面図である。
【図１２】図１２は本発明の実施例による通気性を改善した二重構造の組立式シューズにおいて、底突起が備わるインナーシューズをアウターシューズに結合する場合を示した断面図である。
【図１３】図１３は本発明の実施例による通気性を改善した二重構造の組立式シューズにおいて、底突起が備わるアウターシューズにインナーシューズが結合される場合を示した断面図である。
【図１４ａ】図１４ａは本発明の実施例による通気性を改善した二重構造の組立式シューズにおいて、アウターシューズの内部の底面に形成される底突起が格子の形態である場合を示した平面図である。
【図１４ｂ】図１４ｂは本発明の実施例による通気性を改善した二重構造の組立式シューズにおいて、アウターシューズの内部の底面に形成される底突起がハニカムの形態である場合を示した平面図である。
【図１５】図１５は本発明の実施例による通気性を改善した二重構造の組立式シューズに用いることができる排気用のポンプを示した平面図であって、図１５（ａ）は上面図であり、図１５（ｂ）は下面図である。
【図１６】図１６は本発明の実施例による通気性を改善した二重構造の組立式シューズにおいて、排気用のポンプが内部に装着された場合の断面図である。
【図１７】図１７は本発明の実施例による通気性を改善した二重構造の組立式シューズにおいて、インナーシューズとアウターシューズの間に保護部材が結合した場合の断面図である。
【発明を実施するための形態】
【００３０】
ここで用いられる専門用語は単に特定の実施例を言及するためのものであり、本発明を限定するものを意図していない。ここで用いられる単数の形態は文句がこれと明らかに反対の意味を示さない限り、複数の形態も含む。明細書で用いられる「含む」の意味は特定な性格、領域、定数、ステップ、動作、要素および／または成分を具体化し、その他の異なる特定な性格や、領域、定数、ステップ、動作、要素、成分および／または群の存在や付加を除外するものではない。
【００３１】
他に定義していないが、ここで用いられる技術用語および科学用語を含むすべての用語は本発明が属する技術分野で通常の知識を有する者が一般的に理解する意味と同一な意味を有する。通常用いる辞書に定義された用語は関連する技術文献と現在開示された内容に符合する意味を有するものと追加解釈され、定義されない限り、理想的だったり、非常に公式的な意味で解釈されない。
【００３２】
以下、添付された図面により、本発明の望ましい実施例を詳しく説明するようにする。
【００３３】
図１ａは本発明の実施例による通気性を改善した二重構造の組立式シューズにおいて、インナーシューズの断面図であり、図１ｂはインナーシューズがアウターシューズの内に挿入された状態の断面図である。
【００３４】
本発明の組立式シューズはユーザーの足に着用できるインナーシューズ１００（Ｉｎｎｅｒ  Ｓｈｏｅｓ）と上記のインナーシューズ１００を内部に結合することができるアウターシューズ２００（Ｏｕｔｅｒ  Ｓｈｏｅｓ）からなる。
【００３５】
まず、図１ａを参考にすれば、本発明の組立式シューズを構成するインナーシューズ１００はボディ１１０がそれ自体にユーザーの足に着用することができるシューズの構造を有することができるが、運動や活動の過程で足から発生する熱気を排出するための熱気排出口１２０、または図面に図示されていないが、底の部分に汗を下部に排出することができる水分排出口を備えることができる。インナーシューズ１００を構成する熱気排出口１２０または水分排出口に関しては以下でより詳しく説明することにする。
【００３６】
インナーシューズ１００のボディ１１０は天然ゴムや合成ゴム、または合成樹脂のような材質からなることができる。例えば、無毒性であり、耐化学性に優れて、絶縁性に優れたポリエチレン（ＰＥ）、耐光性・耐薬品性に優れ、電気絶縁性に優れたポリ塩化ビニル（ｐｏｌｙｖｉｎｙｌ  ｃｈｌｏｒｉｄｅ；ＰＶＣ）、非粘着性であり、非油性および高い絶縁性を有する熱可塑性ゴム、耐寒性および酸やアルカリ成分に強いＴＰＲ（Ｔｈｅｒｍｏｐｌａｓｔｉｃ  Ｒｕｂｂｅｒ）、耐熱性に優れて低温でも柔軟性に優れたＳＢＳ（Ｓｔｙｒｅｎｅ  ｂｕｔａｄｉｅｎｅ  ｓｔｙｒｅｎｅ）、ＳＥＢＳ（Ｓｔｙｒｅｎｅ  ｅｔｈｙｌｅｎｅ  ｂｕｔｙｌｅｎｅ  ｓｔｙｒｅｎｅ）またはＥＰＤＭ（ｅｔｈｙｌｅｎｅ  ｐｒｏｐｙｌｅｎｅ  ｄｉｅｎｅ  Ｍ−ｃｌａｓｓ）からなることができる。このほかに、ＳＥＰＳ、ＳＥＥＢＳ、ＳＥＥＰＳ、ＥＶＡ、ＴＰＵ、ＰＵ、ＰＳ、ＰＰ、ＴＰＯ、ＴＰＶなどのゴムや発泡樹脂からなることもできる。その他に、アウターシューズ２００の内部に着脱ができるように一定な厚さの革やゴアテックスのような織物で構成されることもできる。すなわち、インナーシューズ１００のボディ１１０はアウターシューズ２００の入口を通じて内部に挿入され組み込まれるように伸縮性や弾力性を有する材質であれば、すべて用いることができるだろう。
【００３７】
アウターシューズ２００はユーザーの足に着用するインナーシューズ１００が内部に挿入され組み込まれ固定されることができる。インナーシューズ１００の足首の直径、または足指からかかとまでつながる表面積がアウターシューズ２００より小さいので、ユーザーが一定のサイズの力を加えることにより、インナーシューズ１００をアウターシューズ２００の内部に押し込むことができる。
【００３８】
図１ｂは、このように、インナーシューズ１００がアウターシューズ２００の内部に挿入された場合の断面を示したものである。アウターシューズ２００の内部に挿入されたインナーシューズ１００は伸縮性または弾力性を有する表面の摩擦力によりアウターシューズ２００の内部表面の中の一部分に密着され固定されることができるだろう。
【００３９】
この際、インナーシューズ１００の外部の表面とアウターシューズ２００の内部の表面は一部の領域で密着されることができるが、他の一部領域は一定な程度で離隔された空間が形成されることができるが、このように形成された離隔空間はシューズの内部で発生する熱気や汗の水分が外部に排出することができる排出通路１５０の役割をすることができる。したがって、インナーシューズ１００がアウターシューズ２００に挿入され固定された状態で、ユーザーが運動や活動をする過程で発生する熱気や汗の水分がインナーシューズ１００とアウターシューズ２００の間に形成された排出通路１５０を通じて排出されることができる。その結果、本発明の組立式シューズは着用したユーザーは足から発生する熱気や汗による不便さを減らすことができる。
【００４０】
この際、アウターシューズ２００はユーザーの足から発生する熱気や汗が外部に排出されるようにしながら、外部に存在する水などが内部に流入されないように、防水性の材質からなることが望ましい。したがって、ここでは防水効果が要求される長靴や食堂の調理靴またはブーツの場合を仮定して説明するのである。しかし、本発明はこのような長靴やブーツの場合に限定されなく外部からの防水機能が要求されるすべての種類のシューズに適用することができるだろう。アウターシューズ２００のボディを構成する材質はインナーシューズ１００と同じように天然ゴムや合成ゴム、または合成樹脂のような材質からなることができる。ポリエチレン（ＰＥ）、ポリ塩化ビニル（ｐｏｌｙｖｉｎｙｌ  ｃｈｌｏｒｉｄｅ；ＰＶＣ）、熱可塑性ゴム、ＴＰＲ（Ｔｈｅｒｍｏｐｌａｓｔｉｃ  Ｒｕｂｂｅｒ）、ＳＢＳ（Ｓｔｙｒｅｎｅ  ｂｕｔａｄｉｅｎｅ  ｓｔｙｒｅｎｅ）、ＳＥＢＳ（Ｓｔｙｒｅｎｅ  ｅｔｈｙｌｅｎｅ  ｂｕｔｙｌｅｎｅ  ｓｔｙｒｅｎｅ）またはＥＰＤＭ（ｅｔｈｙｌｅｎｅ  ｐｒｏｐｙｌｅｎｅ  ｄｉｅｎｅ  Ｍ−ｃｌａｓｓ）からなることができる。このほかに、ＳＥＰＳ、ＳＥＥＢＳ、ＳＥＥＰＳ、ＥＶＡ、ＴＰＵ、ＰＵ、ＰＳ、ＰＰ、ＴＰＯ、ＴＰＶなどのゴムや発泡樹脂からなることもできる。その他に、インナーシューズ１００が内部に挿入できるように一定な厚さの革やゴアテックスのような織物で構成されることもできる。すなわち、アウターシューズ２００はインナーシューズ１００が内部に挿入され組み込まれるように伸縮性や弾力性を有する材質であればすべて用いることができるだろう。
【００４１】
このように、本発明の組立式シューズはインナーシューズ１００とアウターシューズ２００が分離することができるので、ユーザーが本発明の組立式シューズを着用して作業を完了した後には、アウターシューズ２００からインナーシューズ１００を分離することによって、インナーシューズ１００の内部と外部、アウターシューズ２００の内部と外部に付着された水気や湿気などの異物質を洗浄したり掃除することが容易である。
【００４２】
以下では、本発明の組立式シューズにおいて、インナーシューズ１００とアウターシューズ２００の様々な構成についてより詳しく見ることにする。
【００４３】
図２ａおよび図２ｂは本発明の実施例による通気性を改善した二重構造の組立式シューズにおいて、熱気排出口が備わるインナーシューズを示した平面図である。
【００４４】
図２ａはユーザーの足の甲の部分に円形の単一通気孔で熱気排出口１２０が形成された場合を示したものである。運動や活動の過程でユーザーの足から発生する熱気は軽い気体成分からなっているので、足の上側方向に排出されるので、熱気を排出するための熱気排出口１２０は上側方向を向かうことができる足の甲の部分に形成されることが望ましい。ただし、熱気排出口１２０をあまり大きく形成する場合には、インナーシューズ１００がアウターシューズ２００に挿入された状態で熱気排出口１２０に位置した足の甲の部分がアウターシューズ２００の内部表面と摩擦されることができるので、このような摩擦が発生しないような程度のサイズに形成することが望ましい。
【００４５】
図２ｂはユーザーの足の甲の部分に多数の小さい通気孔１２１を形成することによって、熱気排出口１２０を構成する場合を示したものである。図２ｂのように、多数個の小さい通気孔１２１を用いて熱気排出口１２０を構成する場合には全体の開放面積が図２ａより小さくすることができるが、熱気排出口１２０を通じてユーザーの足の甲が外部に露出されてアウターシューズ２００の内部表面と足の甲の間に摩擦が発生する可能性が減って、ユーザーに対する安全性を高めることができるメリットがある。
【００４６】
図３は本発明の実施例による通気性を改善した二重構造の組立式シューズにおいて、熱気排出口が備わるインナーシューズをアウターシューズに結合した状態で熱気が排出通路を通じて排出される場合の断面図を示したものである。
【００４７】
図３を参考にすれば、熱気排出口１２０が形成されるインナーシューズ１００がアウターシューズ２００の内部に結合される場合、ユーザーの運動や活動の過程で足から発生する熱気はインナーシューズ１００の熱気排出口１２０を通じてインナーシューズ１００とアウターシューズ２００の間から排出することができる。熱気排出口１２０は前で説明するように、足の甲の部分に形成される単一の通気孔からなることもでき、多数の小さい通気孔からなることもできるだろう。特に運動や活動の過程で発生する熱気はユーザーの足から発生する際に温かい温度を示すため、上部に移動するようになる。したがって、足の甲の部分に形成された熱気排出口１２０は足の甲の部分を含めて足裏や足の側面から発生する熱気が簡単にインナーシューズ１００の外部に排出できるようにする。
【００４８】
インナーシューズ１００がアウターシューズ２００の内部に挿入された状態で、インナーシューズ１００の表面の中の一部は摩擦力によりアウターシューズ２００の内部表面と接触することができる。この際、インナーシューズ１００とアウターシューズ２００の間に接触される面積はインナーシューズ１００とアウターシューズ２００の直径とサイズの差に大きく左右されることができる。例えば、インナーシューズ１００の足首部分の直径とアウターシューズ２００の足首部分の直径の差が５ｍｍ以下である場合には摩擦力による引力でインナーシューズ１００の外部表面とアウターシューズ２００の内部表面が相当部分接触されることができる。したがって、インナーシューズ１００の外部表面とアウターシューズ２００の内部表面の間に熱気が排出されることができる排出通路１５０が形成されることができるぐらいインナーシューズ１００とアウターシューズの直径およびサイズを決定することが望ましい。
【００４９】
インナーシューズ１００の外部表面とアウターシューズの内部表面、特にインナーシューズ１００の足の甲から足首をつなぐ外部表面とここに隣接するアウターシューズ２００の内部表面の間に熱気や空気が移動することできる程度の空間に排出通路１５０が形成されれば、インナーシューズ１００の熱気排出口１２０を通じて出る熱気が排出通路１５０を通じて外部に容易に排出されることができるだろう。
【００５０】
また、インナーシューズ１００の熱気排出口１２０を通じて排出された熱気または水分排出口２００を通じて排出された水分が気化され生成された気体が効果的に排出することができるようにインナーシューズ１００またはアウターシューズ２００に排出通路用の部材を追加的に形成することも可能である。
【００５１】
図４は本発明の他の実施例による通気性を改善した二重構造の組立式シューズにおいて、排出通路用の部材が外部に突出される構造のアウターシューズを示した断面図である。
【００５２】
図４を参考にすれば、本発明の組立式シューズを構成するアウターシューズ２００はユーザーの足を取り囲むように構成されるボディ２１０の前方に外側方向に排出通路用の部材２２２が追加に備わることができる。外側方向に形成される排出通路用の部材２２２はアウターシューズ２００の足の甲の部分からシューズの最上部に該当するトップラインまでつながるように一定のサイズの凸形状からなることができる。すなわち、排出通路用の部材２２２はアウターシューズ２００の表面に沿って一体型になって、足の甲の部分からトップラインまで一定な幅の厚さを有しながら、前方に向けて外側に突出される構造を有するので、排出通路用の部材２２２が有する厚さぐらい空気が排出できる排出通路を確保することになる。その結果、運動や活動によりユーザーの足から発生する熱気または汗や水分から発生する湿気が排出通路用の部材２２２により形成された排出通路を通じて容易に排出することができる。
【００５３】
図５ａおよび図５ｂは本発明の実施例による通気性を改善した二重構造の組立式シューズにおいて、排出通路用の部材が備わるアウターシューズにインナーシューズを結合した場合の断面図と平面図をそれぞれ示したものである。
【００５４】
まず、図５ａを参考にすれば、インナーシューズ１００がアウターシューズ２００の内部に結合された場合、ユーザーの運動や活動の過程で足から発生する熱気はインナーシューズ１００の熱気排出口１２０を通じてインナーシューズ１００の外部に排出することができる。この際、アウターシューズ２００の排出通路用の部材２２２はインナーシューズ１００の熱気排出口１２０と隣接する部分から始めてトップラインまで前方に向けて一定の厚さで突出される形態で位置する。したがって、インナーシューズ１００とアウターシューズ２００の間には排出通路用の部材が形成される面積ぐらい熱気や空気を排出することができる空間が確保され、インナーシューズ１００の熱気排出口１２０を通じて流入される熱気がより効果的に組立式シューズの外部に排出されるようになる。
【００５５】
図５ｂを参考にすれば、アウターシューズ２００のトップラインから足の甲の部分までつながる排出通路用の部材２２２はインナーシューズ１００と接触される部分に熱気と空気を排出することができる空間を形成することになる。排出通路用の部材２２２により形成される排出通路はユーザーの足の甲の部分から発生する熱気を排出する経路を提供することもするが、インナーシューズ１００の底面を通じてアウターシューズ２００の底に溜まった汗や水分が気体に気化する場合にはこのような気体を外部に排出する役割もすることができる。
【００５６】
排出通路用の部材２２２は足から発生する熱気や空気を排出するための程度の幅を維持し、ユーザーの活動に不便さを感じない程度、例えば、２ｃｍ以下の幅で形成することが効果的であるだろう。
【００５７】
図６は本発明の他の実施例による通気性を改善した二重構造の組立式シューズにおいて、排出通路用の部材が内部に突出される構造のアウターシューズを示した斜視図である。
【００５８】
図６を参考にすれば、本発明の組立式シューズを構成するアウターシューズ２００はユーザーの足を取り囲むように構成されるボディ２１０の前方に内部方向に突出される形態で排出通路用の部材２２４が形成されることができる。アウターシューズ２００の内部表面に沿って形成される排出通路用の部材２２４はアウターシューズ２００の足の甲の部分からシューズのトップラインまで一定な厚さの突出部が形成される構造からなることができる。内部方向に突出される排出通路用の部材２２４はアウターシューズ２００の内部表面とインナーシューズ１００の外部表面を一定な距離ぐらい離隔するようになり、その結果、アウターシューズ２００とインナーシューズ１００の間に熱気や空気が容易に排出することができる排出通路を形成するようになる。この際、内部方向に突出される排出通路用の部材２２４は一つのラインからなることもあり、二つ以上のラインからなることもできる。
【００５９】
図７は本発明の実施例による通気性を改善した二重構造の組立式シューズにおいて、内部方向に突出される排出通路用の部材が備わるアウターシューズにインナーシューズが結合された場合の平面図を示したものである。
【００６０】
図７を参考にすれば、アウターシューズ２００のトップラインから足の甲の部分まで内部方向に突出される排出通路用の部材２２４はインナーシューズ１００と接触される部分に熱気と空気が排出することができる空間を形成することになる。ここでは、内部方向に突出される排出通路用の部材２２４が二つのラインに形成される場合を例に挙げて図示した。このように、アウターシューズ２００の内面に内部方向に突出される排出通路用の部材２２４が形成される場合、排出通路用の部材２２４によりアウターシューズ２００の内面とインナーシューズ１００の外面が接触されることを遮断するようになって、二つの排出通路用の部材２２４の間および排出通路用の部材２２４と隣接する部分に離隔される空間が形成されて熱気や空気を排出する排出通路の役割をするようになる。もちろん、このように形成された排出通路を通じてアウターシューズ２００の底に溜まった汗や水分から気化した気体が外部に排出することもできる。
【００６１】
この際、内部方向に突出される排出通路用の部材２２４の厚さは足から発生する熱気や空気を排出するための程度の幅を維持し、ユーザーがその厚さにより活動に不便さを感じない程度、例えば、２ｃｍ以下の幅で形成することが効果的であるだろう。
【００６２】
一方、アウターシューズ２００とインナーシューズ１００の間に排出通路を形成するための排出通路用の部材はインナーシューズ１００の外側面に形成することもできる。
【００６３】
図８は本発明の他の実施例による通気性を改善した二重構造の組立式シューズにおいて、排出通路用の部材が外側に形成されるインナーシューズの斜視図を示したものである。
【００６４】
図８を参考にすれば、本発明の組立式シューズを構成するインナーシューズ１００はユーザーの足を取り囲むように構成されるボディ２１０の前方に外部方向に突出される形態で排出通路用の部材１２２が形成することができる。インナーシューズ１０の外部表面に沿って形成される排出通路用の部材１２２はユーザーの足の甲の部分に形成される熱気排出口１２０の一部領域または熱気排出口１２０の上段からインナーシューズ１００のトップラインまで一定な厚さの突出部が形成される構造からなることができる。したがって、インナーシューズ１００がアウターシューズ２００の内部に挿入される場合、外部方向に突出される排出通路用の部材１２２はアウターシューズ２００の内部表面とインナーシューズ１００の外部表面を一定な距離ぐらい離隔させるようになって、その結果、インナーシューズ１００の熱気排出口１２０を通じて熱気や空気が容易に外部に排出できる排出通路を形成するようになる。この際、外部方向に突出される排出通路用の部材１２２は一つのラインからなることもでき、二つ以上のラインからなることもできるだろう。
【００６５】
図９は本発明の実施例による通気性を改善した二重構造の組立式シューズにおいて、排出通路用の部材が備わるインナーシューズがアウターシューズに結合された場合の平面図である。
【００６６】
図９を参考にすれば、インナーシューズ１００の前方外側面に沿って、トップラインから足の甲の部分まで排出通路用の部材１２２が突出され形成することができる。ここでは、外部方向に突出される排出通路用の部材が二つのラインで形成される場合を、例に挙げて図示した。このように、インナーシューズ１００の外部面に突出される排出通路用の部材１２２がアウターシューズ２００の内面とインナーシューズ１００の外面が接触されることを遮断することにより、二つの排出通路用の部材１２２の間および排出通路用の部材１２２と隣接する部分に離隔される空間が形成されて熱気や空気を排出する排出通路の役割をするようになる。もちろん、このように形成される排出通路を通じてアウターシューズ２００の底に溜まった汗や水分から気化した気体が外部に排出することもできる。
【００６７】
この際に、外部方向に突出された排出通路用の部材１２２の厚さは足から発生する熱気や空気を排出するための程度の幅を維持して、ユーザーがその厚さにより活動に不便さを感じない程度、例えば、２ｃｍ以下の幅で形成することが効果的であるだろう。
【００６８】
また、本発明の組立式シューズのインナーシューズ１００はユーザーの足から発生する汗や水分を下部に排出することができる水分排出口を底の部分に含むことができる。図１０ａおよび図１０ｂは本発明の実施例による通気性を改善した二重構造の組立式シューズにおいて、水分排出口が備わるインナーシューズの底面図を示したものである。
【００６９】
インナーシューズ１００の底面に汗や水分が排出することができる水分排出口が備わる場合、ユーザーが本発明の組立式シューズを着用した状態で運動や活動をすれば、足から発生する汗や水分は水分排出口を通じて底面を通過してアウターシューズ２００の底面に集まるようになる。この際、アウターシューズ２００の底の部分は防水機能を有するので、アウターシューズ２００を通じて外部から足裏に水気が流入されない。アウターシューズ２００の底の部分に集まった汗や水分は時間が経つことにより気化され気体変わり、インナーシューズ１００とアウターシューズ２００の間に形成される排出通路１５０を通じて徐々に排出されることができるだろう。
【００７０】
水分排出口はインナーシューズ１００の底面に形成される多数の排出溝１３１からなることができるが、図１０ａに図示されるように、直線形の排出溝１３１から形成されることもでき、図１０ｂに図示されるように、円形の排出溝１３１で形成されることもできる。もちろん、直線形や円形以外に三角形や、多角形など様々な模様で形成することができ、すべて同一なサイズで形成されたり様々なサイズの排出溝１３１で形成することもできるだろう。
【００７１】
図１１は本発明の実施例による通気性を改善した二重構造の組立式シューズにおいて、排出溝が備わるインナーシューズをアウターシューズに結合した場合の断面図を示したものである。
【００７２】
図１１を参考にすれば、排出溝１３１が形成されるインナーシューズ１００がアウターシューズ２００の内部に結合される場合、ユーザーの運動や活動の過程で足から発生する汗や水分はユーザーの足に乗って下に流れるようになり、インナーシューズ１００の排出溝１３１を通じてアウターシューズ２００の底の部分に集まることができる。排出溝１３１は前に説明するように、ユーザーの足裏の部分に形成される直線形または円形などの形態を有する排出溝１３１からなることもできる。特に、運動や活動の過程で発生する汗や水分は液体成分であるため、その重さにより下に流れるようになるので、排出溝１３１はインナーシューズ１００の足裏の部分に形成することが効果的である。また、排出溝１３１を通じて排出される水分がインナーシューズ１００の底面とアウターシューズ２００の底面の間で圧着されなく、アウターシューズ２００の内部の底面に溜まるように図面のようにアウターシューズ２００の内部の底面を屈曲される形態で形成することが効果的であるだろう。
【００７３】
インナーシューズ１００がアウターシューズ２００の内部に挿入される状態でインナーシューズ１００の表面の中の一部は摩擦力によりアウターシューズ２００の内部表面と接触することができる。この際、インナーシューズ１００の外部の底面とアウターシューズ２００の内部の底面が接触することもあるが、一般的にシューズの底が平らな形態になっていなく、ユーザーの足の屈曲に沿って足指の部分と中足骨、およびかかとの部分が底に密着され、中足骨とかかとの間のアーチ部分は地面から凸構造を有するようになる。また、足指と中足骨、かかと部分も同時に底に接触されなく、ユーザーの歩行や運動の過程で順次に地面と接触が行われるため、インナーシューズ１００の底面とアウターシューズ２００の底面は部分的に接触と非接触が交互に行われるようになる。
【００７４】
したがって、排出溝１３１を通じてアウターシューズ２００の底面に溜まった水分は時間が経つことにより、気体成分に気化することになって、インナーシューズ１００の底面とアウターシューズ２００の底面が接触していない空間に沿って移動した後に、インナーシューズ１００とアウターシューズ２００の間に形成される排出通路１５０を通じて外部に排出することができる。
【００７５】
また、本発明の組立式シューズのインナーシューズ１００は排出溝１３１を通じて、排出される汗や水分がアウターシューズ２００の底面に集まる場合を考慮して、インナーシューズ１００の底面とアウターシューズの底面の間に水分が集まることができる空間を形成することができる部材を追加に含むことができる。このような部材はインナーシューズ１００の底面に下部方向に突出される形態の突起で形成されることもでき、アウターシューズ２００の内部の底面に上部方向に突出される突起に形成されることもできる。
【００７６】
図１２は本発明の実施例による通気性を改善した二重構造の組立式シューズにおいて、底突起が備わるインナーシューズをアウターシューズに結合した場合の断面図を示したものであり、図１３は底突起が備わるアウターシューズにインナーシューズが結合された場合を示した断面図である。
【００７７】
まず、図１２を参考にすれば、本発明の実施例による組立式シューズのインナーシューズ１００は直線形または円形の排出溝１３１が底面に形成されることができる。足裏部分から発生した汗や水分は排出溝１３１を通じてアウターシューズ２００の底面に溜まるようになるが、インナーシューズ１００の底面とアウターシューズ２００の底面が接触される場合に底面に溜まった汗や水分がインナーシューズ１００の排出溝１３１を通じて再びインナーシューズ１００の内側に流入されることができる。これを防止するために、インナーシューズ１００の底面に下部方向に底突起１３２が付着されることができる。底突起１３２はインナーシューズ１００の外部の底面とアウターシューズ２００の内部の底面が接触されることを防止して、インナーシューズ１００の外部の底面とアウターシューズ２００の内部の底面の間に汗や水分が集める空間を提供することになる。
【００７８】
汗や水分を効果的に排出し、再び流入できないようにするために、インナーシューズ１００の底面に形成される底突起１３２は汗や水分が排出される排出溝１３１が形成されていない部分に位置することが望ましい。したがって、水分排出口１３０が直線形の排出溝からなる場合には、排出溝１３１が形成されていない空間に沿って多数の底突起１３２が一定な間隔を置いて形成されることができる。水分排出口１３０が円形の排出溝からなる場合には排出溝１３１が形成されていない空間と面積を考慮して、底突起１３２のサイズと位置を決定することができるだろう。底突起１３２は半円形や四角形で形成されることもでき、その他の様々な模様からなることができる。
【００７９】
インナーシューズ１００の底突起１３２により形成される空間が集まった汗や水分は時間が経つことにより、気体に気化することになり、気化された気体はインナーシューズ１００の外部面とアウターシューズ２００の内部面の間に形成される排出通路を通じて外部に排出されることができる。
【００８０】
このような底突起は図１３のようにアウターシューズ２００の内部の底面に形成されることもできる。アウターシューズ２００の内部の底面に底突起２３２を形成する場合にも、同じようにインナーシューズ１００の外部底面とアウターシューズ２００の内部の底面が接触されることを防止し、インナーシューズ１００の外部の底面とアウターシューズ２００の内部の底面の間に汗や水分が集める空間を確保することができる。
【００８１】
この際、アウターシューズ２００の内部の底面に底突起２３２を形成する場合には、インナーシューズ１００の排出溝１３１を防がないように配置することが望ましい。したがって、このような場合にはインナーシューズ１００の排出溝１３１の模様と位置を考慮し、お互いに対応する位置を有するように一対のインナーシューズ１００とアウターシューズ２００を構成するようになるだろう。アウターシューズ２００の内部の底面に底突起２３２が形成される場合にもインナーシューズ１００から流れ出した汗や水分がアウターシューズ２００の底面に溜まるようになり、時間が経つことによって、気体に気化して排出通路を通じて外部に排出されることができるだろう。
【００８２】
この際、アウターシューズ２００の内部の底面に形成される底突起２３２は様々な形態を有することができるが、例えば、図１４ａのように格好の形態からなり四角形の溝の間に水分や水気が集まったり、図１４ｂのようにハニカム形態からなる底突起により水分や水気が集まることもできるだろう。
【００８３】
一方、このような底突起はインナーシューズ１００の外部の底面に形成されたりアウターシューズ２００の内部の底面に形成されることもできるが、インナーシューズ１００の外部の底面とアウターシューズ２００の内部の底面に一緒に形成されることもできるだろう。
【００８４】
本発明の組立式シューズにおいて、インナーシューズ１００の底面がアウターシューズ２００の底面に密着される場合には、インナーシューズ１００の排出溝１３１を通じて下側に排出される汗のような水分を外部に排出したり気化するのに困難がありうる。このために、本発明の組立式シューズはインナーシューズ１００の外部の底面とアウターシューズ２００の内部の底面の間に排気用のポンプが追加に備わることができる。
【００８５】
図１５は本発明の実施例による通気性を改善した二重構造の組立式シューズに用いることができる排気用のポンプを示した平面図である。図１５（ａ）は上面図を示したものであり、図１５（ｂ）は下面図を示したものである。
【００８６】
図１５（ａ）を参考にすれば、排気用のポンプ３００はかかと部分に位置して、足裏の荷重が伝達される部分に伸縮性の圧着部３１０が形成されて、これを取り囲むポンプの外皮３２０に構成される。
【００８７】
伸縮性の圧着部３１０はユーザーの身体の荷重によって、一定の深さぐらいクッションの役割をすることができるように一定の密度を有するスポンジのような材質からなることができる。伸縮性の圧着部３１０の中央部位は外部から空気が流入できるように半円形またはその他の形態に切開される空気吸入通路３１２が形成されることができる。
【００８８】
ポンプの外皮３２０は伸縮性の圧着部３１０を保護することができるように伸縮性の圧着部３１０を囲む形態の合成樹脂からなることができ、組立式シューズの内部に存在する空気が外部によく排出されることができるように空気吸入口３２２と空気排出部３３０を含むことができる。
【００８９】
図１５（ｂ）を参考にすれば、ポンプの外皮３２０の下部には外部から空気が流入できる空気吸入口３２２が形成されることができる。空気吸入口３２２はポンプの外皮３２０の内部に位置する伸縮性の圧着部３１０の空気吸入通路３１２に位置することが望ましく、空気吸入口３２２を通じて流入された空気は空気吸入通路３１２を通じてポンプの外皮３２０の内部に移動して、ユーザーのかかとの部分が伸縮性の圧着部３１０を圧着する場合に、空気排出部３３０を通じて外部に排出されることができる。
【００９０】
図１６は本発明の実施例による通気性を改善した二重構造の組立式シューズにおいて、排気用のポンプが内部に装着された場合の断面図を示したものである。
【００９１】
図１６を参考にすれば、本発明の組立式シューズで排気用のポンプ３００はインナーシューズ１００の外部の底面とアウターシューズ２００の内部の底面の間に位置することができる。特に排気用のポンプ３００の伸縮性の圧着部３１０はユーザーのかかとの底面に位置するように配置されることが望ましい。
【００９２】
排気用のポンプ３００が組立式シューズの内部に装着された状態でポンプの外皮３２０の底面にある空気吸入口３２２を通じて組立式シューズの内部の空気が流入することができる。流入された空気はポンプの外皮３２０の内部に流入され、空気吸入通路３１２および内部の空間を満たすだろう。この状態で組立式シューズのユーザーが活動をする過程でかかとの部分が下に押されるようになると、下方向にユーザーの荷重Ｆが作用するようになり、ポンプの外皮３２０の底面にある空気吸入口３２２はアウターシューズ２００の底面と密着するようになり閉鎖される。もう一方、ポンプの外皮３２０および伸縮性の圧着部３１０はユーザーの身体荷重により圧着されるので、ポンプの外皮３２０の内部に存在する空気は空気排出部３３０を通じて排気用のポンプ３００の外部に排出されることである。この際、空気排出部３３０は組立式シューズの底面から足指部分に向かうように位置するため、排出される空気はユーザーの足指部分から噴出するようになり、結局インナーシューズ１００とアウターシューズ２００の間に形成される排出通路１５０を通じて外部に排出されることができるだろう。
【００９３】
また、本発明の組立式シューズはインナーシューズ１００とアウターシューズ２００の間にユーザーの足指を保護することができる保護部材を含むことにより、ユーザーの活動過程でユーザーの足指部分に衝撃を加える危険から保護する安全靴の役割も可能である。
【００９４】
図１７は本発明の実施例による通気性を改善した二重構造の組立式シューズにおいて、インナーシューズとアウターシューズ２００の間に保護部材が結合した場合の断面図である。
【００９５】
図１７を参考にすれば、本発明の組立式シューズを構成するインナーシューズ１００の足指部分の外側、またはアウターシューズ２００の足指部分の内側には外部の衝撃からユーザーの足指を保護するための部材１４０が位置することができる。保護部材１４０は強化プラスチックのように強度が高い合成樹脂からなったり、柔軟性がある薄い金属材質からなることもできるだろう。保護部材１４０はインナーシューズ１００の外側面に着脱可能な形態で付着されることもあり、インナーシューズ１００の外側に固定される形態で付着されることもあるだろう。または、アウターシューズ２００の内側面に保護部材１４０が結合される形態で構成されることもあるだろう。
【００９６】
したがって、保護部材１４０が付着されたインナーシューズ１００をアウターシューズ２００の内部に結合して用いる場合、ユーザーは上から落ちる重いものや衝突から足指の部分が損傷されることを防止することができる。
【００９７】
以上添付された図面を参考にして本発明の実施例を説明したが、本発明が属する技術分野で通常の知識を有する者は、本発明のその技術的な思想や必須的な特徴が変更されなくて、他の具体的な形態で実施できることを理解できるだろう。したがって、以上で記述した実施例はすべての面で例示的なものであり、限定的なものではないこととして理解するべきである。本発明の範囲は上記の詳細な説明よりは後述する特許請求の範囲により示されて、特許請求の範囲の意味および範囲そしてその均等概念から導出されるすべての変更または変形された形態が本発明の範囲に含まれるものとして、解釈されるべきである。
【符号の説明】
【００９８】
１００：インナーシューズ
１１０：インナーシューズのボディ
１２０：熱気排出口
１２１：通気孔
１２２：インナーシューズの排出通路用の部材
１３１：排出溝
１３２：インナーシューズの底突起
１４０：保護部材
１５０：排出通路
２００：アウターシューズ
２１０：アウターシューズのボディ
２２２、２２４：アウターシューズの排出通路用の部材
２３２：アウターシューズの底突起
３００：排気用のポンプ
３１０：伸縮性の圧着部
３１２：空気吸入通路
３２０：ポンプの外皮
３２２：空気吸入口
３３０：空気排出口
【図１ａ】
2020508707.tif 000003
【図１ｂ】
2020508707.tif 000004
【図２ａ】
2020508707.tif 000005
【図２ｂ】
2020508707.tif 000006
【図３】
2020508707.tif 000007
【図４】
2020508707.tif 000008
【図５ａ】
2020508707.tif 000009
【図５ｂ】
2020508707.tif 000010
【図６】
2020508707.tif 000011
【図７】
2020508707.tif 000012
【図８】
2020508707.tif 000013
【図９】
2020508707.tif 000014
【図１０ａ】
2020508707.tif 000015
【図１０ｂ】
2020508707.tif 000016
【図１１】
2020508707.tif 000017
【図１２】
2020508707.tif 000018
【図１３】
2020508707.tif 000019
【図１４ａ】
2020508707.tif 000020
【図１４ｂ】
2020508707.tif 000021
【図１５（ａ）】
2020508707.tif 000022
【図１５（ｂ）】
2020508707.tif 000023
【図１６】
2020508707.tif 000024
【図１７】
2020508707.tif 000025
【国際調査報告】
2020508707.tif 000026
2020508707.tif 000027
2020508707.tif 000028
2020508707.tif 000029